【手続補正書】
【提出日】平成24年2月27日(2012.2.27)
【手続補正１】
【補正対象書類名】特許請求の範囲
【補正対象項目名】全文
【補正方法】変更
【補正の内容】
【特許請求の範囲】
【請求項１】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネルと、
（Ｂ）各画素群に関して、第１の画素及び第２の画素のそれぞれへの第１副画素・入力信号、第２副画素・入力信号及び第３副画素・入力信号に基づき、第１の画素及び第２の画素のそれぞれに第１副画素・出力信号、第２副画素・出力信号及び第３副画素・出力信号を出力する信号処理部、
を備えた画像表示装置の駆動方法であって、
正数Ｐを第１の方向に沿った画素群の数、正数Ｑを第２の方向に沿った画素群の数としたとき、信号処理部には、
第（ｐ，ｑ）番目の画素群（但し、１≦ｐ≦Ｐ，１≦ｑ≦Ｑ）を構成する第１の画素に関して、
信号値がｘ1-(p1,q)の第１副画素・入力信号、
信号値がｘ2-(p1,q)の第２副画素・入力信号、及び、
信号値がｘ3-(p1,q)の第３副画素・入力信号、
が入力され、
第（ｐ，ｑ）番目の画素群を構成する第２の画素に関して、
信号値がｘ1-(p2,q)の第１副画素・入力信号、
信号値がｘ2-(p2,q)の第２副画素・入力信号、及び、
信号値がｘ3-(p2,q)の第３副画素・入力信号、
が入力され、
信号処理部は、
第（ｐ，ｑ）番目の画素群を構成する第１の画素に関して、
信号値がＸ1-(p1,q)であり、第１副画素の表示階調を決定するための第１副画素・出力信号、
信号値がＸ2-(p1,q)であり、第２副画素の表示階調を決定するための第２副画素・出力信号、及び、
信号値がＸ3-(p1,q)であり、第３副画素の表示階調を決定するための第３副画素・出力信号、
を出力し、
第（ｐ，ｑ）番目の画素群を構成する第２の画素に関して、
信号値がＸ1-(p2,q)であり、第１副画素の表示階調を決定するための第１副画素・出力信号、
信号値がＸ2-(p2,q)であり、第２副画素の表示階調を決定するための第２副画素・出力信号、及び、
信号値がＸ3-(p2,q)であり、第３副画素の表示階調を決定するための第３副画素・出力信号、
を出力し、更に、
第（ｐ，ｑ）番目の画素群を構成する第４副画素に関して、信号値がＸ4-(p,q)であり、第４副画素の表示階調を決定するための第４副画素・出力信号、
を出力し、
Ｍｉｎ(p,q)-1に基づき第１信号値ＳＧ(p,q)-1を決定し、Ｍｉｎ(p,q)-2に基づき第２信号値ＳＧ(p,q)-2を決定し、
信号値Ｘ1-(p1,q)を、少なくとも、信号値ｘ1-(p1,q)、Ｍａｘ(p,q)-1、Ｍｉｎ(p,q)-1、及び、第１信号値ＳＧ(p,q)-1に基づき求め、
信号値Ｘ2-(p1,q)を、少なくとも、信号値ｘ2-(p1,q)、Ｍａｘ(p,q)-1、Ｍｉｎ(p,q)-1、及び、第１信号値ＳＧ(p,q)-1に基づき求め、
信号値Ｘ3-(p1,q)を、少なくとも、信号値ｘ3-(p1,q)、Ｍａｘ(p,q)-1、Ｍｉｎ(p,q)-1、及び、第１信号値ＳＧ(p,q)-1に基づき求め、
信号値Ｘ1-(p2,q)を、少なくとも、信号値ｘ1-(p2,q)、Ｍａｘ(p,q)-2、Ｍｉｎ(p,q)-2、及び、第２信号値ＳＧ(p,q)-2に基づき求め、
信号値Ｘ2-(p2,q)を、少なくとも、信号値ｘ2-(p2,q)、Ｍａｘ(p,q)-2、Ｍｉｎ(p,q)-2、及び、第２信号値ＳＧ(p,q)-2に基づき求め、
信号値Ｘ3-(p2,q)を、少なくとも、信号値ｘ3-(p2,q)、Ｍａｘ(p,q)-2、Ｍｉｎ(p,q)-2、及び、第２信号値ＳＧ(p,q)-2に基づき求める画像表示装置の駆動方法。
ここで、
Ｍａｘ(p,q)-1：（ｘ1-(p1,q)，ｘ2-(p1,q)，ｘ3-(p1,q)）の３つの副画素・入力信号の信号値の最大値
Ｍａｘ(p,q)-2：（ｘ1-(p2,q)，ｘ2-(p2,q)，ｘ3-(p2,q)）の３つの副画素・入力信号の信号値の最大値
Ｍｉｎ(p,q)-1：（ｘ1-(p1,q)，ｘ2-(p1,q)，ｘ3-(p1,q)）の３つの副画素・入力信号の信号値の最小値
Ｍｉｎ(p,q)-2：（ｘ1-(p2,q)，ｘ2-(p2,q)，ｘ3-(p2,q)）の３つの副画素・入力信号の信号値の最小値
である。
【請求項２】
信号値Ｘ4-(p,q)を、
Ｘ4-(p,q)＝（ＳＧ(p,q)-1＋ＳＧ(p,q)-2）／２
にて求め、又は、
Ｘ4-(p,q)＝Ｃ1・ＳＧ(p,q)-1＋Ｃ2・ＳＧ(p,q)-2
（但し、Ｃ1，Ｃ2は定数であり、Ｘ4-(p,q)≦（２n−１）であり、（Ｃ1・ＳＧ(p,q)-1＋Ｃ2・ＳＧ(p,q)-2）＞（２n−１）の場合、Ｘ4-(p,q)＝（２n−１）とする）
にて求め、又は、
Ｘ4-(p,q)＝［（ＳＧ(p,q)-12＋ＳＧ(p,q)-22）／２］1/2
にて求める請求項１に記載の画像表示装置の駆動方法。
【請求項３】
（Ａ）第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されている画像表示パネルと、
（Ｂ）各画素群に関して、第１の画素及び第２の画素のそれぞれへの第１副画素・入力信号、第２副画素・入力信号及び第３副画素・入力信号に基づき、第１の画素及び第２の画素のそれぞれに第１副画素・出力信号、第２副画素・出力信号及び第３副画素・出力信号を出力する信号処理部、
を備えた画像表示装置の駆動方法であって、
正数Ｐを第１の方向に沿った画素群の数、正数Ｑを第２の方向に沿った画素群の数としたとき、信号処理部には、
第（ｐ，ｑ）番目の画素群（但し、１≦ｐ≦Ｐ，１≦ｑ≦Ｑ）を構成する第１の画素に関して、
信号値がｘ1-(p1,q)の第１副画素・入力信号、
信号値がｘ2-(p1,q)の第２副画素・入力信号、及び、
信号値がｘ3-(p1,q)の第３副画素・入力信号、
が入力され、
第（ｐ，ｑ）番目の画素群を構成する第２の画素に関して、
信号値がｘ1-(p2,q)の第１副画素・入力信号、
信号値がｘ2-(p2,q)の第２副画素・入力信号、及び、
信号値がｘ3-(p2,q)の第３副画素・入力信号、
が入力され、
信号処理部は、
第（ｐ，ｑ）番目の画素群を構成する第１の画素に関して、
信号値がＸ1-(p1,q)であり、第１副画素の表示階調を決定するための第１副画素・出力信号、
信号値がＸ2-(p1,q)であり、第２副画素の表示階調を決定するための第２副画素・出力信号、及び、
信号値がＸ3-(p1,q)であり、第３副画素の表示階調を決定するための第３副画素・出力信号、
を出力し、
第（ｐ，ｑ）番目の画素群を構成する第２の画素に関して、
信号値がＸ1-(p2,q)であり、第１副画素の表示階調を決定するための第１副画素・出力信号、
信号値がＸ2-(p2,q)であり、第２副画素の表示階調を決定するための第２副画素・出力信号、及び、
信号値がＸ3-(p2,q)であり、第３副画素の表示階調を決定するための第３副画素・出力信号、
を出力し、更に、
第（ｐ，ｑ）番目の画素群を構成する第４副画素に関して、信号値がＸ4-(p,q)であり、第４副画素の表示階調を決定するための第４副画素・出力信号、
を出力し、
信号処理部において、
各画素群の第１の画素及び第２の画素への第１副画素・入力信号に基づき第１副画素・混合入力信号を求め、
各画素群の第１の画素及び第２の画素への第２副画素・入力信号に基づき第２副画素・混合入力信号を求め、
各画素群の第１の画素及び第２の画素への第３副画素・入力信号に基づき第３副画素・混合入力信号を求め、
第１副画素・混合入力信号、第２副画素・混合入力信号及び第３副画素・混合入力信号に基づき、第４副画素・出力信号を求め、
第１副画素・混合入力信号、並びに、第１の画素及び第２の画素への第１副画素・入力信号に基づき、第１の画素及び第２の画素への第１副画素・出力信号を求め、
第２副画素・混合入力信号、並びに、第１の画素及び第２の画素への第２副画素・入力信号に基づき、第１の画素及び第２の画素への第２副画素・出力信号を求め、
第３副画素・混合入力信号、並びに、第１の画素及び第２の画素への第３副画素・入力信号に基づき、第１の画素及び第２の画素への第３副画素・出力信号を求め、
第４副画素・出力信号、並びに、第１の画素及び第２の画素への第１副画素・出力信号、第２副画素・出力信号及び第３副画素・出力信号を出力する画像表示装置の駆動方法。
【請求項４】
第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されており、
第１の方向を行方向、第２の方向を列方向とし、正数Ｑを第２の方向に沿った画素群の数としたとき、
第ｑ’番目の列（但し、１≦ｑ’≦Ｑ−１）における第１の画素と第（ｑ’＋１）番目の列における第１の画素とは隣接しており、
第ｑ’番目の列における第４副画素と第（ｑ’＋１）番目の列における第４副画素とは隣接していない画像表示パネル。
【請求項５】
第１原色を表示する第１副画素、第２原色を表示する第２副画素、及び、第３原色を表示する第３副画素から構成された画素が、第１の方向及び第２の方向に２次元マトリクス状に配列され、第１の方向に配列された少なくとも第１の画素及び第２の画素によって画素群が構成され、各画素群において、第１の画素と第２の画素との間に第４の色を表示する第４副画素が配置されており、
第１の方向を行方向、第２の方向を列方向としたとき、
第ｑ’番目の列（但し、１≦ｑ’≦Ｑ−１）における第１の画素と第（ｑ’＋１）番目の列における第２の画素とは隣接しており、
第ｑ’番目の列における第４副画素と第（ｑ’＋１）番目の列における第４副画素とは隣接していない画像表示パネル。
【請求項６】
（Ａ）第１原色を表示する第１副画素、第２原色を表示する第２副画素、及び、第３原色を表示する第３副画素から構成された第１の画素、並びに、第１原色を表示する第１副画素、第２原色を表示する第２副画素、及び、第４の色を表示する第４副画素から構成された第２の画素から構成された画素群を、複数、備えた画像表示パネルと、
（Ｂ）各画素群に関して、第１の画素への第１副画素・入力信号、第２副画素・入力信号及び第３副画素・入力信号に基づき、第１副画素・出力信号、第２副画素・出力信号及び第３副画素・出力信号を出力し、第２の画素への第１副画素・入力信号及び第２副画素・入力信号に基づき、第１副画素・出力信号及び第２副画素・出力信号を出力する信号処理部、
を備えた画像表示装置の駆動方法であって、
信号処理部において、各画素群の第１の画素への第１副画素・入力信号、第２副画素・入力信号及び第３副画素・入力信号、並びに、該各画素群の第２の画素への第１副画素・入力信号、第２副画素・入力信号及び第３副画素・入力信号に基づき、第４副画素・出力信号を求め、出力する画像表示装置の駆動方法。
【請求項７】
正数Ｐを第１の方向に沿った画素群の数、正数Ｑを第２の方向に沿った画素群の数としたとき、信号処理部には、
第（ｐ，ｑ）番目の画素群（但し、１≦ｐ≦Ｐ，１≦ｑ≦Ｑ）を構成する第１の画素に関して、
信号値がｘ1-(p1,q)の第１副画素・入力信号、
信号値がｘ2-(p1,q)の第２副画素・入力信号、及び、
信号値がｘ3-(p1,q)の第３副画素・入力信号、
が入力され、
第（ｐ，ｑ）番目の画素群を構成する第２の画素に関して、
信号値がｘ1-(p2,q)の第１副画素・入力信号、
信号値がｘ2-(p2,q)の第２副画素・入力信号、及び、
信号値がｘ3-(p2,q)の第３副画素・入力信号、
が入力され、
信号処理部は、
第（ｐ，ｑ）番目の画素群を構成する第１の画素に関して、
信号値がＸ1-(p1,q)であり、第１副画素の表示階調を決定するための第１副画素・出力信号、
信号値がＸ2-(p1,q)であり、第２副画素の表示階調を決定するための第２副画素・出力信号、及び、
信号値がＸ3-(p1,q)であり、第３副画素の表示階調を決定するための第３副画素・出力信号、
を出力し、
第（ｐ，ｑ）番目の画素群を構成する第２の画素に関して、
信号値がＸ1-(p2,q)であり、第１副画素の表示階調を決定するための第１副画素・出力信号、及び、
信号値がＸ2-(p2,q)であり、第２副画素の表示階調を決定するための第２副画素・出力信号、
を出力し、更に、
第（ｐ，ｑ）番目の画素群を構成する第４副画素に関して、信号値がＸ4-(p,q)であり、第４副画素の表示階調を決定するための第４副画素・出力信号、
を出力する請求項６に記載の画像表示装置の駆動方法。
【請求項８】
信号処理部において、各画素群の第１の画素への第１副画素・入力信号、第２副画素・入力信号及び第３副画素・入力信号から求められた第１信号値、並びに、該各画素群の第２の画素への第１副画素・入力信号、第２副画素・入力信号及び第３副画素・入力信号から求められた第２信号値に基づき、第４副画素・出力信号を求め、出力する請求項７に記載の画像表示装置の駆動方法。
【請求項９】
χを画像表示装置に依存した定数としたとき、
ＨＳＶ色空間における彩度Ｓ(p,q)-1及び明度Ｖ(p,q)-1、並びに、定数χに基づき、第１信号値ＳＧ(p,q)-1を決定し、
ＨＳＶ色空間における彩度Ｓ(p,q)-2及び明度Ｖ(p,q)-2、並びに、定数χに基づき、第２信号値ＳＧ(p,q)-2を決定する請求項８に記載の画像表示装置の駆動方法。
ここで、
Ｓ(p,q)-1＝（Ｍａｘ(p,q)-1−Ｍｉｎ(p,q)-1）／Ｍａｘ(p,q)-1
Ｖ(p,q)-1＝Ｍａｘ(p,q)-1
Ｓ(p,q)-2＝（Ｍａｘ(p,q)-2−Ｍｉｎ(p,q)-2）／Ｍａｘ(p,q)-2
Ｖ(p,q)-2＝Ｍａｘ(p,q)-2
但し、
Ｍａｘ(p,q)-1：（ｘ1-(p1,q)，ｘ2-(p1,q)，ｘ3-(p1,q)）の３つの副画素・入力信号の信号値の最大値
Ｍｉｎ(p,q)-1：（ｘ1-(p1,q)，ｘ2-(p1,q)，ｘ3-(p1,q)）の３つの副画素・入力信号の信号値の最小値
Ｍａｘ(p,q)-2：（ｘ1-(p2,q)，ｘ2-(p2,q)，ｘ3-(p2,q)）の３つの副画素・入力信号の信号値の最大値
Ｍｉｎ(p,q)-2：（ｘ1-(p2,q)，ｘ2-(p2,q)，ｘ3-(p2,q)）の３つの副画素・入力信号の信号値の最小値
であり、彩度Ｓは０から１までの値をとることができ、明度Ｖは０から（２n−１）までの値をとることができ、ｎは表示階調ビット数である。
【請求項１０】
第４の色を加えることで拡大されたＨＳＶ色空間における彩度Ｓを変数とした明度の最大値Ｖmax（Ｓ）を、信号処理部に記憶しておき、
信号処理部において、
（ａ）複数の画素における副画素・入力信号の信号値に基づき、複数の画素における彩度Ｓ及び明度Ｖ（Ｓ）を求め、
（ｂ）複数の画素において求められたＶmax（Ｓ）／Ｖ（Ｓ）の値の内、少なくとも１つの値に基づいて伸長係数α0を求め、
（ｃ）第１信号値ＳＧ(p,q)-1を、少なくとも、信号値ｘ1-(p1,q)、信号値ｘ2-(p1,q)及び信号値ｘ3-(p1,q)に基づき求め、
第２信号値ＳＧ(p,q)-2を、少なくとも、信号値ｘ1-(p2,q)、信号値ｘ2-(p2,q)及び信号値ｘ3-(p2,q)に基づき求め、
（ｄ）信号値Ｘ1-(p1,q)を、少なくとも、信号値ｘ1-(p1,q)、伸長係数α0、及び、第１信号値ＳＧ(p,q)-1に基づき求め、
信号値Ｘ2-(p1,q)を、少なくとも、信号値ｘ2-(p1,q)、伸長係数α0、及び、第１信号値ＳＧ(p,q)-1に基づき求め、
信号値Ｘ1-(p2,q)を、少なくとも、信号値ｘ1-(p2,q)、伸長係数α0、及び、第２信号値ＳＧ(p,q)-2に基づき求め、
信号値Ｘ2-(p2,q)を、少なくとも、信号値ｘ2-(p2,q)、伸長係数α0、及び、第２信号値ＳＧ(p,q)-2に基づき求める請求項９に記載の画像表示装置の駆動方法。
【請求項１１】
信号値Ｘ4-(p,q)を、
Ｘ4-(p,q)＝（ＳＧ(p,q)-1＋ＳＧ(p,q)-2）／２
にて求め、又は、
Ｘ4-(p,q)＝Ｃ1・ＳＧ(p,q)-1＋Ｃ2・ＳＧ(p,q)-2
（但し、Ｃ1，Ｃ2は定数であり、Ｘ4-(p,q)≦（２n−１）であり、（Ｃ1・ＳＧ(p,q)-1＋Ｃ2・ＳＧ(p,q)-2）＞（２n−１）の場合、Ｘ4-(p,q)＝（２n−１）とする）
にて求め、又は、
Ｘ4-(p,q)＝［（ＳＧ(p,q)-12＋ＳＧ(p,q)-22）／２］1/2
にて求める請求項１０に記載の画像表示装置の駆動方法。
【請求項１２】
Ｍｉｎ(p,q)-1に基づき第１信号値ＳＧ(p,q)-1を決定し、Ｍｉｎ(p,q)-2に基づき第２信号値ＳＧ(p,q)-2を決定する請求項８に記載の画像表示装置の駆動方法。
ここで、
Ｍｉｎ(p,q)-1：（ｘ1-(p1,q)，ｘ2-(p1,q)，ｘ3-(p1,q)）の３つの副画素・入力信号の信号値の最小値
Ｍｉｎ(p,q)-2：（ｘ1-(p2,q)，ｘ2-(p2,q)，ｘ3-(p2,q)）の３つの副画素・入力信号の信号値の最小値
である。
【請求項１３】
信号値Ｘ1-(p1,q)を、少なくとも、信号値ｘ1-(p1,q)、Ｍａｘ(p,q)-1、Ｍｉｎ(p,q)-1、及び、第１信号値ＳＧ(p,q)-1に基づき求め、
信号値Ｘ2-(p1,q)を、少なくとも、信号値ｘ2-(p1,q)、Ｍａｘ(p,q)-1、Ｍｉｎ(p,q)-1、及び、第１信号値ＳＧ(p,q)-1に基づき求め、
信号値Ｘ1-(p2,q)を、少なくとも、信号値ｘ1-(p2,q)、Ｍａｘ(p,q)-2、Ｍｉｎ(p,q)-2、及び、第２信号値ＳＧ(p,q)-2に基づき求め、
信号値Ｘ2-(p2,q)を、少なくとも、信号値ｘ2-(p2,q)、Ｍａｘ(p,q)-2、Ｍｉｎ(p,q)-2、及び、第２信号値ＳＧ(p,q)-2に基づき求める請求項１２に記載の画像表示装置の駆動方法。
【請求項１４】
信号値Ｘ4-(p,q)を、
Ｘ4-(p,q)＝（ＳＧ(p,q)-1＋ＳＧ(p,q)-2）／２
にて求め、又は、
Ｘ4-(p,q)＝Ｃ1・ＳＧ(p,q)-1＋Ｃ2・ＳＧ(p,q)-2
（但し、Ｃ1，Ｃ2は定数であり、Ｘ4-(p,q)≦（２n−１）であり、（Ｃ1・ＳＧ(p,q)-1＋Ｃ2・ＳＧ(p,q)-2）＞（２n−１）の場合、Ｘ4-(p,q)＝（２n−１）とする）
にて求め、又は、
Ｘ4-(p,q)＝［（ＳＧ(p,q)-12＋ＳＧ(p,q)-22）／２］1/2
にて求める請求項１３に記載の画像表示装置の駆動方法。
【請求項１５】
信号処理部において、
各画素群の第１の画素及び第２の画素への第１副画素・入力信号に基づき第１副画素・混合入力信号を求め、
各画素群の第１の画素及び第２の画素への第２副画素・入力信号に基づき第２副画素・混合入力信号を求め、
各画素群の第１の画素及び第２の画素への第３副画素・入力信号に基づき第３副画素・混合入力信号を求め、
第１副画素・混合入力信号、第２副画素・混合入力信号及び第３副画素・混合入力信号に基づき、第４副画素・出力信号を求め、
第１副画素・混合入力信号、並びに、第１の画素及び第２の画素への第１副画素・入力信号に基づき、第１の画素及び第２の画素への第１副画素・出力信号を求め、
第２副画素・混合入力信号、並びに、第１の画素及び第２の画素への第２副画素・入力信号に基づき、第１の画素及び第２の画素への第２副画素・出力信号を求め、
第３副画素・混合入力信号に基づき第１の画素への第３副画素・出力信号を求め、
第４副画素・出力信号、並びに、第１の画素及び第２の画素への第１副画素・出力信号、第２副画素・出力信号及び第３副画素・出力信号を出力する請求項６に記載の画像表示装置の駆動方法。
【請求項１６】
各画素群の第１の画素及び第２の画素への第３副画素・入力信号に基づき、第３副画素・出力信号を求め、出力する請求項６に記載の画像表示装置の駆動方法。
【請求項１７】
画素群は、第１の方向のＰ個、第２の方向にＱ個の合計Ｐ×Ｑ個、２次元マトリクス状に配列されており、
各画素群を構成する第１の画素及び第２の画素は、第２の方向に沿って配置されており、
第１の方向に沿って、第１の画素と第１の画素が隣接して配置されている請求項６乃至請求項１６のいずれか１項に記載の画像表示装置の駆動方法。
【請求項１８】
画素群は、第１の方向のＰ個、第２の方向にＱ個の合計Ｐ×Ｑ個、２次元マトリクス状に配列されており、
各画素群を構成する第１の画素及び第２の画素は、第２の方向に沿って配置されており、
第１の方向に沿って、第１の画素と第２の画素が隣接して配置されている請求項６乃至請求項１６のいずれか１項に記載の画像表示装置の駆動方法。